(57)【要約】【課題】便器のボウル面の大便落下個所を専用の洗浄水ノズル等を用いることなく、低コスト、少スペースにて排便前に濡らし、汚物の便器付着を防止する便器装置を提供する。【解決手段】便器本体と、前記便器本体のボウル面に洗浄水を吐水するリム吐水部への給水とトラップ排水部に直接ジェット洗浄水を吐水するジェット吐水部への給水をそれぞれ独立に行なう給水手段と、前記給水手段の動作を制御する制御手段と、人体を検知する人体検知手段及び／又は人体が便座に着座したことを検知する着座検知手段と、を備えた便器装置において、前記人体検知手段及び／又は着座検知手段が非検知状態から検知状態に切り替わった場合の第１検知信号に基づいて前記制御手段が前記給水手段を作動させて前記リム吐水部へ第１の給水量の給水を行なう。【選択図】  図１
2004162505.tif 000002
【特許請求の範囲】
【請求項１】
便器本体と、前記便器本体のボウル面に洗浄水を吐水するリム吐水部への給水とトラップ排水部に直接ジェット洗浄水を吐水するジェット吐水部への給水をそれぞれ独立に行なう給水手段と、前記給水手段の動作を制御する制御手段と、人体を検知する人体検知手段及び／又は人体が便座へ着座したことを検知する着座検知手段と、を備えた便器装置において、前記人体検知手段及び／又は前記着座検知手段が非検知状態から検知状態に切り替わった場合の第１検知信号に基づいて前記制御手段が前記給水手段を作動させて前記リム吐水部へ第１の給水量の給水を行なうことを特徴とする便器装置。
【請求項２】
便器本体と、前記便器本体のボウル面に洗浄水を吐水するリム吐水部への給水とトラップ排水部に直接ジェット洗浄水を吐水するジェット吐水部への給水をそれぞれ独立に行なう給水手段と、前記給水手段の動作を制御する制御手段と、前記制御手段に命令を送信する操作手段と、を備えた便器装置において、前記操作手段からの信号を受信した前記制御手段が前記給水手段を作動させて前記リム吐水部へ第１の給水量の給水を行なうことを特徴とする便器装置。
【請求項３】
請求項２記載の便器装置において、前記操作手段はリモコンボックスであることを特徴とする便器装置。
【請求項４】
請求項２または３に記載の便器装置において、人体を検知する人体検知手段及び／又は人体が便座へ着座したことを検知する着座検知手段を備え、前記人体検知手段及び／又は前記着座検知手段が非検知状態から検知状態に切り替わった場合の第１検知信号に基づいて、前記操作手段が操作可能となることを特徴とする便器装置。
【請求項５】
請求項１乃至４のいずれか記載の便器装置において、前記第１の給水量は、用便後汚物を排出するために前記リム吐水部に給水する第２の給水量よりも少ないことを特徴とする便器装置。
【請求項６】
請求項１乃至５のいずれか記載の便器装置において、前記制御手段が前記第１の給水量を調節する給水量調節機能を備えていることを特徴とする便器装置。
【請求項７】
請求項１または請求項４、５、６記載の便器装置において、前記人体検知手段及び／又は前記着座検知手段が検知状態から非検知状態に切り替わった場合の第２検知信号に基づいて前記制御手段が前記給水手段を作動させて前記リム吐水部へ前記第２の給水量の給水を行なうことを特徴とする便器装置。
【発明の詳細な説明】
【０００１】
【発明の属する技術分野】
本発明は、リム吐水とジェット吐水を備えた便器装置に関する。
【０００２】
【従来の技術】
従来の便器装置としては、専用のノズルを備えて、便器のボウル面の大便落下箇所を予め濡らしており、便器へ大便が付着しにくいよう工夫して、便器の不潔さ、見た目の不快感を防いでいた。（例えば、特許文献１の第５図参照。）
【０００３】
【特許文献１】
特開平５−１４４１号公報
【０００４】
【発明が解決しようとする課題】
しかしながら、このような構成のものにおいては、専用の洗浄水ノズルが必要となるだけではなく、前記洗浄水ノズルへの洗浄水を給水させるための電磁弁等が必要となる。つまり、コストがかかるばかりでなくその設置スペースも必要となるという問題があった。
本発明はかかる事情に鑑みてなされたもので、便器のボウル面の大便落下個所を専用の洗浄水ノズル等を用いることなく、低コスト、少スペースにて排便前に濡らし、汚物の便器付着を防止する便器装置を提供することを目的とする。
【０００５】
【課題を解決するための手段及び作用・効果】
上記課題を解決するために、本発明では、便器本体と、前記便器本体のボウル面に洗浄水を吐水するリム吐水部への給水とトラップ排水部に直接ジェット洗浄水を吐水するジェット吐水部への給水をそれぞれ独立に行なう給水手段と、前記給水手段の動作を制御する制御手段と、人体を検知する人体検知手段及び／又は人体が便座へ着座したことを検知する着座検知手段と、を備えた便器装置において、前記人体検知手段及び／又は前記着座検知手段が非検知状態から検知状態に切り替わった場合の第１検知信号に基づいて前記制御手段が前記給水手段を作動させて前記リム吐水部へ第１の給水量の給水を行なうことを特徴とする。
これにより、専用の洗浄水ノズル等を用いることなく、低コスト、少スペースにて使用前に便器リム排水部への給水をおこなうことで乾燥している便器の落下箇所を予め濡らすことが出来、大便を便器に付着することを回避できる。
【０００６】
また、本発明の好ましい態様としては、便器本体と、前記便器本体のボウル面に洗浄水を吐水するリム吐水部への給水とトラップ排水部に直接ジェット洗浄水を吐水するジェット吐水部への給水をそれぞれ独立に行なう給水手段と、前記給水手段の動作を制御する制御手段と、前記制御手段に命令を送信する操作手段と、を備えた便器装置において、前記操作手段からの信号を受信した前記制御手段が前記給水手段を作動させて前記リム吐水部へ第１の給水量の給水を行なうことを特徴とする。
これにより、専用の洗浄水ノズル等を用いることなく、低コスト、少スペースにて使用前に便器リム排水部への給水をおこなうことで乾燥している便器の落下箇所を予め濡らすことが出来、大便を便器に付着することを回避できる。また、前記人体検知手段や着座検知手段が故障した場合、操作手段を操作することにより、確実に便器を濡らすことが可能となる。
【０００７】
また、本発明の好ましい態様としては、前記操作手段はリモコンボックスであることを特徴とする。
これにより、使用者が操作しやすい場所に操作手段を配置することができる。
【０００８】
また、本発明の好ましい態様としては、前記人体を検知する人体検知手段及び／又は人体が便座へ着座したことを検知する前記着座検知手段を備え、前記人体検知手段及び／又は前記着座検知手段が非検知状態から検知状態に切り替わった場合の第１検知信号に基づいて、前記操作手段が操作可能となることを特徴とする便器装置。
これにより、トイレ内の掃除中など誤って操作手段を操作しても動作することはない。
【０００９】
また、本発明の好ましい態様としては、前記第１の給水量は、用便後汚物を排出するために前記リム吐水部に給水する第２の給水量よりも少なくなるようにする。
これにより、使用前に便器への給水を行なうことで乾燥している便器の大便落下箇所を予め濡らすことが出来るだけの給水でよく、無駄に多く給水することなく節水が可能となる。
【００１０】
また、本発明の好ましい態様としては、前記制御手段が前記第１の給水量を調節する給水量調節機能を備えているようにする。
これにより、使用場所の給水圧力が変動しても最適な水量に設定し使用することが可能となる。
【００１１】
また、本発明の好ましい態様としては、前記人体検知手段が検知状態から非検知状態に切り替わった場合の第２検知信号に基づいて前記制御手段が前記給水手段を作動させて前記リム吐水部へ前記第２の給水量の給水を行なうようにする。これにより、用便後に付着した汚物を確実に洗い落とすことができると共に、便器から人体が離れることにより自動で便器を洗浄することができるので、汚物の流し忘れを防ぐことができる。
【００１２】
【発明の実施の形態】
本発明に係る便器装置を図面に基づいて説明する。
図１は本発明に係る第１〜４の実施例の便器装置の説明図、図２は同便器装置の外観斜視図、図３は第５の便器装置の説明図、図４は第６の便器装置の説明図、図５は反射型赤外線センサーユニットの説明図である。
【００１３】
（第１〜第４の実施例）
便器装置１０は、サイフォンジェット式の水洗便器本体１２、便器本体１２の後方上部に設けられた機器収容部１５を備えている。便器本体１２は、ボウル部１１、一端がボウル部１１の底部に連通するトラップ排水部１３と、トラップ排水部１３の入口に指向して洗浄水を吐水するジェット噴出口１６、上端周縁に配置された環状のリム吐水部１４を有している。リム吐水部１４の底壁には周方向に間隔を隔てて形成された多数の貫通孔１４ａが形成され、この貫通孔１４ａからボウル部１１のボウル面に沿って洗浄水が放出されるようになっている。
なお、リム吐水部１４は、便器本体１２のボウル部１１の上端のリム周囲に導水部を持たせた本実施の形態に限定されず、ボウル部１１の上端奥側のリム近傍に洗浄水を勢いよく噴射させる噴射口を設けて、その噴射口からの洗浄水がボウル部１１を螺旋状に流れるように噴射させるような形態としてもよい。
トラップ排水部１３の他端は図示しない排水管に接続されている。
【００１４】
機器収納部１５内には図示しない水道配管に接続された給水管１７が配設され、給水管１７から枝管１８、１９が分岐している。枝管１８には給水手段の一例である電磁弁からなる第１の止水弁２０が接続され、枝管１９には同じく給水手段の一例である電磁弁からなる第２の止水弁２１が接続されている。止水弁２０の下流側に接続される配管２２は途中に大気開放弁２３を介設して、ジェット噴出口１６に接続されている。また、止水弁２１の下流側の配管２４はリム吐水部１４に接続される導水部２５に接続されている。
【００１５】
また、止水弁２０、２１の開閉制御を含むこの便器装置１０の全体の制御を行う制御手段２６が機器収納部１５内に設けられている。制御手段２６に接続されて、止水弁２１の開閉を行うオンスイッチ２７とオフスイッチ２８を備えた操作手段の一例であるスイッチ操作部２９が、便器本体１２又は機器収納部１５の側部に設けられている。なお、便器本体１２の側方に脇スイッチボックス手段が設けられている場合には、この中にスイッチ操作部２９を組み込むこともできる。また、便器本体１０とは離間した位置にリモコンボックス３３を配設し、それにもオンスイッチ２７とオフスイッチ２８を設けている。
なお、リモコンボックス３３はこの実施の形態では電池駆動され、トイレの天井面を向いて配置された発光ダイオードからなる投光器３４を備え、機器収納部１５の特定位置に設けたフォトトランジスタやフォトダイオード等からなる図示しない受光器に光を当てて、制御手段２６に信号を送り、止水弁２０、２１の開閉を行うようになっている。
符号３１は開閉可能な便座、符号３２はその上に被さる便蓋である。
符号４５は反射型赤外線センサーユニットで図５に示すようにトイレ室内の人体を検知する人体検知センサー４５ａと人体が便座３１に着座したことを検知する着座検知センサー４５ｂを一体に構成し、機器収納部１５に配設している。
【００１６】
通常の洗浄では、用便後にリム吐水部１４からの給水でボウル部１１を洗浄し、続いてジェット噴出口１６からの給水で汚物を搬送し、再度リム吐水部１４からの給水で洗浄を行って封水を行っている。
【００１７】
第１の実施例では、着座検知センサー４５ｂが非検知状態から検知状態に切り替わったときの第１信号が制御手段２６に送られ、止水弁２１が開き、水道水が止水弁２１を通ってリム吐水部１４内に給水され、貫通孔１４ａからボウル部１１内に向けて予め設定された第１の給水量の洗浄水が吐水される。この場合、図２に示すように、それぞれの貫通孔１４ａを斜め反時計方向に向けておくことによって、反時計方向の水流をボウル部１１内に形成し、ボウル部１１の全面をよりむらなく覆うようにして洗浄される。前記第１の給水量は所定の時間の間洗浄水を供給することによって決定している。
そして、前記第１の給水量の給水が終了すると止水弁２１が閉じてリム吐水部１４からの放水は停止する。
【００１８】
第２の実施例では、使用者がスイッチ操作部２９のオンスイッチ２７を操作することにより、第１信号が制御手段２６に送られ、止水弁２１が開き、水道水が止水弁２１を通ってリム吐水部１４内に給水され、貫通孔１４ａからボウル部１１内に向けて予め設定された第１の給水量の洗浄水が吐水される。この場合、図２に示すように、それぞれの貫通孔１４ａを斜め反時計方向に向けておくことによって、反時計方向の水流をボウル部１１内に形成し、ボウル部１１の全面をよりむらなく覆うようにして洗浄される。前記第１の給水量は所定の時間の間洗浄水を供給することによって決定している。
そして、前記第１の給水量の給水が終了すると止水弁２１が閉じてリム吐水部１４からの放水は停止する。
【００１９】
第３の実施例では、使用者がリモコンボックス３３のオンスイッチ２７を操作することにより、前記第２の実施例と同様の洗浄操作が行なわれる。この実施例の場合、リモコンボックス３３を使用者が操作しやすい配置することが可能となる。
【００２０】
第４の実施例では、便座へ着座したことを検知する着座検知センサー４５ｂが、前記着座検知手段が非検知状態から検知状態に切り替わった場合の第１検知信号に基づいて、前記操作手段が操作可能となる。
これにより、トイレ内の掃除中など誤って操作手段を操作しても動作することはない。
【００２１】
（第５の実施例）
つぎに、図３を参照しながら本発明に係る第５の実施例の便器装置について説明するが、第１の実施例との相違点のみ異なる番号を付して説明する。
この第５の実施例においては、着座検知センサー４５ｂが非検知状態から検知状態に切り替わったときのリム吐水部への給水量を用便後、汚物を排出するために供給する洗浄水量（第２の給水量）よりも少なくなるように設定している。
具体的には制御手段２６からの止水弁２１へ指示する開の時間を前記第２の給水量よりも短い時間に設定にすることにより可能となる。前記時間の設定はスイッチ操作部３６に設けた摘まみ３７を調節して行なうようにしている。これにより必要以上の水を流すことを防止し節水を行なうことができる。
【００２２】
（第６の実施例）
続いて、図４を参照しながら本発明に係る第６の実施例の便器装置について説明するが、第１の実施例との相違点のみ異なる番号を付して説明する。
この第６の実施例においては、止水弁２１の二次側に電気信号によってその流量調整が可能な流量調整弁３５が配設されている。この流量調整弁３５は通常の使用においては所定の設定開度となっている。また、スイッチ操作部３６には流量調整弁３５の開度を設定するコントロール用の摘まみ（ボリューム）３７が設けられており、摘まみ（ボリューム）３７の設定により制御手段２６を介して流量調整弁３５の給水瞬間流量を調整できるようにしている。これによって、給水圧力の変動等により給水量が変化しても任意の給水量に調整が可能となるため、給水量不足による便器本体１２汚物落下面の濡れ不足からおきる汚物の洗浄残りや、必要以上の水を流すことを防止し節水を行なうことが出来る。
【００２３】
（第７の実施例）
続いて、本発明の第７の実施例係る便器装置について説明するが、第１の実施の形態に係る水洗便器装置１０との相違点のみ異なる番号を付して説明する。
この実施例の便器装置においては、前記第１又は４、５、６いずれかの実施例において、用便後、使用者が便器本体１２から離れ着座検知センサー４５ｂが検知状態から非検知状態に切り替わったときの信号（第２信号）に基づいて、制御手段２６が止水弁２０、２１を作動させて便器本体１２への給水を行なうようにしている。これにより、用便後に便器１２に付着した汚物を確実に洗い落とすことが出来ると共に、便器１２から人体が離れることにより自動で便器１２を洗浄することが出来るので、汚物の流し忘れを防ぐことが出来る。
【００２４】
上記の実施例においては着座検知センサー４５ｂの検知信号で洗浄操作を行なっているが、人体検知センサー４５ａの検知信号を用いて行なうこともできる。また、着座検知センサー４５ｂと人体検知センサー４５ａを併用することにより、検知精度を上げることも可能である。
【図面の簡単な説明】
【図１】本発明に係る第１〜４の実施例の便器装置の説明図。
【図２】図１の便器装置の外観斜視図。
【図３】第５の実施例の便器装置の概略説明図。
【図４】第６の実施例の便器装置の概略説明図。
【図５】反射型赤外線センサーユニットの説明図。
【符号の説明】
１０…便器装置
１１…ボウル部
１２…便器本体
１３…トラップ排水部
１４…リム吐水部
１４ａ…貫通孔
１５…機器収納部
１６…ジェット噴出口
１７…給水管
１８、１９…枝管
２０、２１、３８…止水弁（給水手段）
２２、２４…配管
２３…大気開放弁
２５…導水部
２６…制御手段
２７…オンスイッチ
２８…オフスイッチ
２９、３６…スイッチ操作部
３１…便座
３２…便蓋
３３…リモコンボックス
３４…投光器
３５、３９…流量調整弁
３７…摘まみ
４５…反射型赤外線センサーユニット
４５ａ…人体検知センサー
４５ｂ…着座検知センサー
【図１】
2004162505.tif 000003
【図２】
2004162505.tif 000004
【図３】
2004162505.tif 000005
【図４】
2004162505.tif 000006
【図５】
2004162505.tif 000007